【事件の表示】
　特許第３１７０７２６号「電気掃除機」の請求項１、２に係る特許に対する特許異議の申立てについて、次のとおり決定する。
【結　論】
　訂正を認める。
　特許第３１７０７２６号の請求項１に係る特許を取り消す。
【理　由】
［１］手続きの経緯
　特許第３１７０７２６号の請求項１及び２に係る発明についての出願は、平成４年４月１５日に特許出願され、平成１３年３月２３日にその発明について特許権の設定登録がされた後、その特許について、平成１３年１１月２８日に特許異議申立人近藤惠子より特許異議の申立てがなされ、平成１４年６月１８日に取消しの理由が通知され、その指定期間内である平成１４年８月１９日に訂正請求がされたものである。
　
［２］訂正の適否についての判断
１．訂正の内容
１）願書に添付した明細書の特許請求の範囲の記載を以下のとおり訂正する。
「【請求項１】　集塵室、ブロアモータ等を内蔵し、前車輪と一対の主車輪を備えた掃除機本体を移動させて床面上の塵埃等を吸引する電気掃除機において、
　前記主車輪の外径が掃除機本体の全長の５０％以上の大きさに設定され、その外周の一部が前記掃除機本体の後端面及び底面の外側にあり、前記掃除機本体の天面が前記主車輪の外周の外側にあり、
　前記掃除機本体の重心が、前記前車輪と主車輪が床面に接触した状態で前記主車輪の外周内で前記主車輪の車軸の前方かつ上方であり、かつ前記主車輪と掃除機本体の後端面の天面側に突設された突起部が床面に接触した状態で前記主車輪の車軸を通り床面に垂直な線の天面側にある、
　ように構成されたことを特徴とする電気掃除機。」
２）同明細書の段落【０００２】を下記のとおり訂正する。      
「図１１は従来の電気掃除機の一例を示す側面図である。図において、１はブロワモードや集塵室などを内蔵した掃除機本体で、２はその前車輪、３は一対の主車輪、４は主車輪３の車軸、５は上ハンドルである。６は一端に掃除機本体１とのジョイント部７を有し、他端に手元スイッチを備えた手元パイプ８が設けられたホース、９は手元パイプ８に連結された延長パイプ、１０は延長パイプ９の先端部に装着された床ブラシである。なお、２５は床面、Ｇは掃除機本体１の重心である。」
３）同明細書の段落【０００４】を、下記のとおり訂正する。
「しかしながら、棚の上、天井あるいはカーテンの上部等を掃除するような場合は、掃除機本体１をそのままの状態にしておいたのでは床ブラシ１０（又は他のアタッチメント）が届かないので、上ハンドル５を持って掃除機本体１を持上げて掃除を行なうか、あるいは図１２に示すようにホース６を引張って掃除機本体１を床面２５上に立てて掃除を行なっていた。
　このような操作は使用者の手や腕に相当な負担がかかるため、連続して上記のような立体掃除を行なうことは困難である。このような問題が発生するのは、掃除機本体１の重心Ｇと、主車輪３の車軸４間の距離Ｌｇが長いためである。」
４）同明細書の段落【０００５】を、下記のとおり訂正する。
「このような問題を解決するために、図１３、図１４、図１６に示すような電気掃除機が提案されている。図１３に示す電気掃除機は、掃除機本体１の両側に、掃除機本体１より大きい主車輪３を取付けたものであるが、このような電気掃除機においては、掃除中にホース６のジョイント部７が床面２５に当り、床面２５に傷をつけてしまうので、実用的ではない。」
５）同明細書の段落【０００６】を、下記のとおり訂正する。
「また、図１４に示す電気掃除機は、前車輪２と主車輪３を有し、特に主車輪３の外径Ｄを掃除機本体１の全高Ｈより大きく、かつ主車輪３の外周が掃除機本体１の後端面より後方にあるように掃除機本体１に装着したものである。
　このような電気掃除機においては、主車輪３の外周が掃除機本体１の外端面より後方にあるため、掃除機本体１を立てて使用することができず、また、図１５に示すような状態が発生すると、掃除機本体１の天面１１の前部が床面２５に衝突して床面２５を傷つけてしまうので、常にホース６を引張って掃除機本体１の前部を持上げていなければならず、きわめて使い勝手が悪い。」
６）同明細書の段落【０００７】を、下記のとおり訂正する。
「図１６に示す電気掃除機は、主車輪３の車軸４を前方に移動させて重心Ｇに近づけたものであるが、この場合、図１２のような状態で使用しようとすると、掃除機本体１の後端面１３の角部が床面２５に衝突し、床面２５を傷つけてしまうという問題がある。また、図１２のような使用状態にするため掃除機本体１を立たせようとすると、支点が掃除本体１の後端面１３の角部になるため重心Ｇからの距離が離れてしまう。このため、腕などの負担は軽減されず、使用者の疲労が大きい。
７）同明細書の段落【０００９】を、下記のとおり訂正する。
「【課題を解決するための手段】
　本発明に係る電気掃除機は、主車輪の外径が掃除機本体の全長の５０％以上の大きさに設定され、その外周の一部が前記掃除機本体の後端面及び底面の外側にあり、前記掃除機本体の天面が前記主車輪の外周の外側にあり、掃除機本体の重心が、前車輪と主車輪が床面に接触した状態で主車輪の外周内で主車輪の車軸の前方かつ上方であり、かつ主車輪と掃除機本体の後端面の天面側に突設された突起部が床面に接触した状態で主車輪の車軸を通り床面に垂直な線の天面側にある、ように構成されたことを特徴とするものである。」
８）同明細書の段落【００１０】【００１２】【００２３】【００２４】【００２５】【００２６】【００２７】【００４２】を削除する。
９）同明細書の段落【００１１】を、下記のとおり訂正する。
「【作用】
　本発明のように主車輪の外径を掃除機本体の全長の５０％以上の大きさにし、その外周の一部が掃除機本体の後端面及び底面の外側にあり、掃除機本体の天面が主車輪の外周の外側にあるように設定するとともに、掃除機本体の重心位置を主車輪の外周内でかつ掃除機本体を床面上に立てた状態下で主車輪の車軸を通り床面に垂直な線の天面側にあるように設定することにより、重心と車軸との距離が短かくなって、小さい持ち上げ力で掃除機本体を立てることができる。、また、掃除機本体を立てる際は掃除機本体を車軸を中心に回動させる操作だけでよく、しかも回動途中でその後端面が床面に接触することもなくなる。さらに、掃除機本体を床面上に立てたときに安定してその位置を保持させることができ、かつコンパクトに格納することができる。」
１０）同明細書の段落【００１５】を、下記のとおり訂正する。
「表１は本実施例に係る図２の掃除機本体１を差込部１４を、持上げて床面２５上に立てるときに要する力Ｆを実測したデータ、及び従来の掃除機本体を床面に立てるときに要する力Ｆを実測したデータを示すものである。なお、図２において、Ｌは掃除機本体１の全長、Ｌｇは車軸４と重心Ｇ間の距離、Ｌｄは車軸４と主車輪３の外周までの距離、したがって主車輪３の半径、Ｄは主車輪３の直径である。また、表１中のタイプＡは本実施例に係る電気掃除機、タイプＢは図１１で説明した従来の電気掃除機、タイプＣは図１６で説明した従来の電気掃除機を示す。」
１１）同明細書の段落【００１６】の【表１】におけるタイプＣ１のＬｄの値「１２２」を「４９．５」に、タイプＣ２のＬｄの値「７５」を「７１．５」に、タイプＣ３のＬｄの値「１５５」を「６７」に、それぞれ訂正する。
１２）同明細書の段落【００１７】を、下記のとおり訂正する。
「表１から明らかなように、持ち上げ力Ｆは、重心Ｇと車軸４間の距離Ｌｇが短かいほど小さくなることがわかる。しかしながら、タイプＣ（図１６の電気掃除機）の場合は、持ち上げ力Ｆは途中まで比較的小さいが、掃除機本体１の後端面１３が床面２５に当接したのちは、持ち上げ力Ｆは非常に大きくなる。
　したがって、本実施例のように構成すれば、重心Ｇと車軸４との間の距離Ｌｇが短かくなるので、小さい持ち上げ力Ｆで掃除機本体１を立てることができ、途中で掃除機本体１の後端面が床面２５に接触することもなく、立てたのちは安定してその位置に保持される。」
１３）同明細書の段落【００１８】を、下記のとおり訂正する。
「以上のように、例えば棚の上、天井、カーテンなとどの部屋の上部を立体的に掃除する場合も、掃除機本体１を小さい力で簡単に立てることができるので、手や腕などの負担を軽減することができる。
　また、敷居などの段差を乗り越える場合も、前車輪２が簡単に床面２５から離れるので、力を入れずに掃除機本体１を移動させることができる。さらに、直立した状態から通常の状態に戻す場合も、床面２５に対する衝撃が小さいので、床面２５に傷をつけることがない。」
１４）同明細書の段落【００２０】を、下記のとおり訂正する。
「一般に掃除機本体の重心は、その全長Ｌの２分１よりやや後方にある。これは、掃除機本体１の前方部に集塵室１５が配設され、その後方にブロアモータなどが設けられているためである。本実施例によれば、簡単な構成で第１の実施例を実現することができる。」
１５）同明細書の段落【００２８】を、下記のとおり訂正する。
「実施例４
　図５は本発明の第４の実施例の説明図である。本実施例においては、掃除機本体１を通常の状態で床面２５上に置いた場合、重心Ｇが主車輪３の外周内において車軸４の前方でかつ上方、即ち、第２象限内に位置するように構成したものである。
　このように構成した本実施例において、いま、下ハンドル１６を持上げると、前車輪２が床面２５から離れ、掃除機本体１は車軸４を中心として回転しながら立ち上り、最終的には床面２５に当接して停止する。このとき、重心Ｇは車軸４を中心に時計回りで車軸４の真上を通過する（反対側の側面では重心Ｇは反時計回りになる）。そして、重心Ｇが車軸４の真上を通過したのちは、力を入れなくても掃除機本体１は自力で立ち上る。」
１６）同明細書の段落【００３１】を、下記のとおり訂正する。
「実施例５
　図６は本発明の第５の実施例の説明図で、１９は掃除機本体１に内蔵したブロワモータ、２０は同じくコードリールである。
　本実施例においては、モータ１９及びコードリール２０を、その重心ＧＭ及びＧＣがそれぞれ車軸４の前方かつ上方、即ち、第２象限に位置するように掃除機本体１内に配設したものである。」
１７）同明細書の段落【００３４】を、下記のとおり訂正する。
「実施例６
　周知のように電気掃除機の使用にあたっては、掃除機本体をホースで引張りながら前後に移動させ、あるいは左右に旋回させて掃除を行なっている。この場合、前後の移動は主として主車輪に依存し、旋回は主として前車輪に依存しており、旋回にあたっては、小さい力でかつ小さい回転半径で操作しうることが望ましい。」
１８）同明細書の段落【００３５】を、下記のとおり訂正する。
「図７は本発明に係る第６の実施例の説明図である。本実施例においては、車軸４から前車輪２までの距離Ｌｗを、車軸４から重心Ｇまでの距離Ｌｇのほぼ２倍、即ち、２Ｌｇ≧Ｌｗとし、その位置に前車輪２を設けたものである。」
１９）同明細書の段落【００３６】を、下記のとおり訂正する。
「本発明の発明者等は、本発明に係る掃除機本体１の旋回機能について種々試験を行ない、回転半径、回転力及び転倒について多くのデータを得た。ここに、回転半径とは、図８に示すように主車輪３の床面２５への接触点３Ｐから前車輪２の旋回軌跡までの距離Ｗｂをいい、回転力Ｔとは、ホース６をもって掃除機本体１を旋回させるときに要する力をいう。」
２０）同明細書の段落【００３７】を、下記のとおり訂正する。
「図９は車軸４と前車輪２間の距離Ｌｗを、車軸４から重心Ｇまでの距離Ｌｇの２倍以上、即ち、２Ｌｇ＜Ｌｗとした場合（以下ケースＹとする）、図１０はＬｇ＝Ｌｗとした場合（以下ケースＺとする）を示すものである。なお、図７に示した本実施例をケースＸとする。
　上記のようなＸ、Ｙ、Ｚの各例についてそれぞれ５回ずつ試験を行なった結果を表２に示す。」
２１）同明細書の段落【００４１】を、下記のとおり訂正する。
「【発明の効果】　　
以上の説明から明らかなように、本発明によれば、主車輪の外径が掃除機本体の全長の５０％以上の大きさに設定され、その外周の一部が前記掃除機本体の後端面及び底面の外側にあり、掃除機本体の天面が主車輪の外周の外側にあり、掃除機本体の重心が、前車輪と主車輪が床面に接触した状態で主車輪の外周内で主車輪の車軸の前方かつ上方であり、かつ主車輪と掃除機本体の後端面の天面側に突設された突起部が床面に接触した状態で主車輪の車軸を通り床面に垂直な線の天面側にあるように構成されたことで、重心と車軸との距離が短かくなって、小さい持ち上げ力で掃除機本体を立てることができ、立体掃除などの際に腕や手などへの負担を軽減することができる。また掃除機本体を立てる際は掃除機本体を車軸を中心に回動させる操作だけでよく、しかも回動途中でその後端面が床面に接触することがないため、床面を傷つけることもなくなる。さらに掃除機本体を床面上に立てたときに安定してその位置に保持させることができて、コンパクトなスペースに格納することができる。」
 ２２）同明細書の図面の簡単な説明を、下記のとおり訂正する。
「【図１】　
　本発明の第１の実施例の説明図である。
 【図２】
　第１の実施例の作用説明図である。
 【図３】
　本発明の第２の実施例の説明図である。
 【図４】
　本発明の第３の実施例の説明図である。
 【図５】
　本発明の第４の実施例の説明図である。
 【図６】
　本発明の第５の実施例の説明図である。
 【図７】
　本発明の第６の実施例の説明図である。
 【図８】
　図７の底面図である。
 【図９】
　第６の実施例の比較例の説明図である。
 【図１０】
　第６の実施例の比較例の説明図である。
 【図１１】
　従来の電気掃除機の一例の説明図である。
 【図１２】
　図１１の電気掃除機の作用説明図である。
 【図１３】
　従来の電気掃除機の他の例の説明図である。
 【図１４】
　従来の電気掃除機の他の例の説明図である。
 【図１５】
　図１４の電気掃除機の作用説明図である。
 【図１６】
　従来の電気掃除機の他の例の説明図である。
 【符号の説明】
　　１　掃除機本体
　　２　前車輪
　　３　主車輪
　　４　車軸
　　１１　天面
　　１２　底面
　　１３　後端面
　　１５　集塵室
　　１７　突起部
　　１９　ブロアモータ
　　２５　床面」
２３）願書に添付した図面を、下記のとおり訂正する。
ａ）図４からθ、Ｇ１、Ｐ１及びその対応部分を削除する。
ｂ）図６から符号１８及びその引き出し線を削除する。
ｃ）図５を削除し、以下図番を繰り上げ、図６〜図１７を、図５〜図１６とする。
　
２．訂正の目的の適否、新規事項の有無及び拡張・変更の存否
　訂正事項１）は、請求項２を削除するとともに、請求項１について、願書に添付した明細書の段落【００２１】【００２２】【００２８】【００３１】〜【００３３】及び、図４、６、７の記載を根拠として「掃除機本体の重心」の位置を「前車輪と主車輪が床面に接触した状態で前記主車輪の外周内で前記主車輪の車軸の前方かつ上方であり、かつ前記主車輪と掃除機本体の後端面の天面側に突設された突起部が床面に接触した状態で前記主車輪の車軸を通り床面に垂直な線の天面側にある」と限定し、また、請求項１に「掃除機本体を床面上に立てた状態」とあったのを、「主車輪と掃除機本体の後端面の天面側に突設された突起部が床面に接触した状態」とすることにより、掃除機本体を立てた状態についてを明確化を図るものであるから、特許請求の範囲の減縮ないしは明りょうでない記載の釈明を目的としたものであり、新規事項の追加に該当せず、実質的に特許請求の範囲を拡張又は変更するものではない。
　訂正事項２３）は、上記訂正事項１）に伴い整合性を図るために、願書に添付した図４及び図６を修正し、図５を削除して以下図番を繰り上げたものであるから、明りょうでない記載の釈明を目的としたものであり、しかも、当該訂正事項は、新規事項の追加に該当せず、実質的に特許請求の範囲を拡張又は変更するものでもない。
　訂正事項２）〜１０）、１３）、１５）〜２２）は、上記訂正事項１）及び２３）に伴なって整合性を図るため、願書に添付した明細書の発明の詳細な説明中の対応する箇所を訂正するものであるから、いずれも明りょうでない記載の釈明を目的としたものであり、しかも、当該訂正事項は、新規事項の追加に該当せず、実質的に特許請求の範囲を拡張又は変更するものでもない。
　訂正事項１１）は、願書に添付した明細書の段落【００１５】に基づいて【表１】におけるタイプＣ１〜Ｃ３の各Ｌｄの値を明確にしたものであり、明りょうでない記載の釈明を目的としたものに相当し、しかも、当該訂正事項は、新規事項の追加に該当せず、実質的に特許請求の範囲を拡張又は変更するものでもない。
　訂正事項１２）は、願書に添付した明細書に「持ち上げ力Ｆは、掃除機本体１の重量や主車輪３の径Ｄに関係なく、重心Ｇと車軸４間の距離Ｌｇが短かいほど小さくなることがわかる」とあるのを、「持ち上げ力Ｆは、重心Ｇと車軸４間の距離Ｌｇが短かいほど小さくなることがわかる」と訂正するものであるが、この訂正は、同明細書の【表１】に基づき、車軸と掃除機本体の重心との距離が持ち上げ力Ｆに影響することを正しく説明するものであるから、明りょうでない記載の釈明に該当する。また、当該訂正事項１２）は、「図１７」を「図１６」とするものであるが、この訂正は、上記訂正事項２３）に伴なって明細書と図面の整合性を図るものであるから、明りょうでない記載の釈明を目的としたものに該当する。しかも、当該訂正事項は、新規事項の追加に該当せず、実質的に特許請求の範囲を拡張又は変更するものとも認められない。
　訂正事項１４）は、願書に添付した明細書の「したがって、主車輪３の外形Ｄを掃除機本体１の全長Ｌの５０％以上の大きさにすれば、仮りに重心Ｇの位置がわからなくても、重心Ｇが主車輪３の外周内に位置することになる。」なる記載を削除し、主車輪の外径を掃除機本体の全長の５０％以上の大きさにしても、必ずしも掃除機本体の重心は上記主車輪の外周内に位置するわけではないことを明確にするものであるから、明りょうでない記載の釈明を目的としたものであり、しかも、当該訂正事項は、新規事項の追加に該当せず、実質的に特許請求の範囲を拡張又は変更するものとも認められない。
　なお、訂正図面において、図１の「主軸」、図８の符号「４」は、それぞれ、「車軸」、「３Ｐ」の誤記であると認められる。
　
３．むすび
　したがって、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
［３］特許異議の申立てについての判断
１．本件発明
　上記［２］で示したように上記訂正は認められるから、本件発明は、上記訂正に係る訂正明細書の特許請求の範囲の請求項１に記載されたとおりのものである。（上記［２］１．１）参照。）
　
２．異議申立ての理由
　異議申立人は、甲第１号証（特開平５−２８５０７２号）、甲第２号証（意匠登録第５２１８３３号公報）、甲第３号証（特開昭６１−５２８３３号公報）を提示し、１）平成１１年９月２８日及び平成１２年１２月１８日にした補正は、明細書及び図面の要旨を変更するものであるので、本件特許出願は、特許法の一部を改正する法律（平成５年法律第２６号）附則第２条第２項の規定により、なお従前の例によるとされる同法による改正前の特許法第４０条の規定により、本件特許出願は、手続補正書を提出した時にしたものとみなされ、特許法請求項１及び２に係る発明は、甲第１号証に記載された発明であるから、特許法第２９条第１項第３号の規定に該当し特許を受けることができない、２）請求項１及び２に係る発明は、甲第２号証および甲第３号証に基いて当業者が容易に発明することができたものであるから、特許法第２９条第２項の規定により特許を受けることができない、３）請求項２に係る発明において、「支承部材」を設ける技術的意義が不明確であり、本件特許は、特許法第３６条第５項及び第６項に規定する要件を満たしていない特許出願に対してされたものであるから、当該特許は取り消されるべきであると主張している。
　
３．当審において通知した取消理由の概要
１）本件特許に係る特許出願は、特許法第３６条第４項及び第５条に規定する要件を満たしていない。
２）請求項１及び２に係る発明は、刊行物１（異議申立人の提示した甲第３号証）に記載の発明及び刊行物２（異議申立人の提示した甲第２号証）に記載の発明に基づいて、当業者が容易に発明をすることができたものであるから、特許法第２９条第２項の規定により特許を受けることができない。
　
４．引用刊行物に記載された発明
１）当審が通知した取消理由において引用した上記刊行物１には、図面とともに次の事項が記載されている。
（ｉ）「本発明は掃除機本体を立てた状態においても使用や格納ができるタイプの電気掃除機に関するものである。」（第１頁左下欄第１６行乃至１８行）
（ii）「本発明の電機掃除機は本体後部の下部、上部及びその中間部の３ケ所に上記本体を立てるためのレストを配置し、下部と中間部、中間部と上部のそれぞれ２ケ所のレストで２方向に本体を立てられるように構成し、本体の上面側に倒れることの防止や使用性の向上を図ったものである。」（第２頁左上欄第４行乃至第９行）
（iii）「前記本体下２０の後部上方には本体上３４を取り付けることにより電気掃除機２４やコード巻取装置（図示せず）を内蔵保持するものである。３５はバンパーで前記本体下２０と本体上３４及びダスト蓋２９間に設置されている。」（第２頁右上欄第９行乃至第１３行）
（iv）「３９，４０は本体下２０の下部に配設した移動用の前輪と後輪である。前記後輪４０はその外周面が本体下２０の後面より突出するように配置されており、本体下２０の後面上方に設けたレスト４１と同一突出高さに設定して第５図に示すようにレストの役目もし掃除機本体を立てて使用したり、又格納ができるようになっている。４２は前記レスト４１のさらに上方かつ、前側に位置させて格納蓋３８の後面部に設けた受部で、第６図の示すように若干上面側に傾斜した状態で立てられるようにしたものである。第５図、第６図の中に示すＧは掃除機本体の重心で、第５図及び第６図のように立てた状態で重心Ｇは後輪４０とレスト４１の間及びレスト４１と受部４２の間にそれぞれ位置するように立てた状態での床面への接地部を配置したもので、立てた状態から本体が倒れにくいようにしている。」（第２頁右上欄第１８行乃至左下欄第１５行）
（ｖ）「通常掃除機本体を立てて使用する場合は第５図に示す状態にするが、電動送風機２３の運転、停止をしたり、手や足が当る等の振動や衝撃あるいはホース２６に引張力が加わったりすると掃除機本体が倒れることがある。この場合、掃除機本体が上面側に倒れる場合は第６図の状態で倒れが停止されるようになっている。」（第２頁右下欄第１行乃至第８行）
（vi）また、第５、第６図等の記載からみて、「後輪」は「本体下」の底面側より突出するとともに「本体上」の天面は上記「後輪」の外周の外側にあり、また、「掃除機本体の重心」は、掃除機本体を立てた状態において「後輪」の車軸よりも上方にあるものと看取できる。
　したがって、刊行物１には、上記記載事項及び図面の図示内容等からみて、
「電動送風機やコード巻取装置を内蔵し、移動用の前輪と後輪を掃除機本体に備えた電気掃除機において、後輪の外周が本体下の後面及び底面より突出するように配設され、本体上の天面が前記後輪の外周の外側にあり、掃除機本体の重心が、該本体を立てた状態で、後輪の車軸より上方であり、かつ、後輪と本体下の後面上方に設けたレストとの間に位置するように構成された電気掃除機。」の発明（以下、「引用発明１」という。）が記載されていると認められる。
　
２）同上記刊行物２には、第２頁各画図等からみて、「主車輪の外径が掃除機本体の全長の５０％以上の大きさに設定され」ること（以下、「引用発明２」という。）が記載されていると認められる。
　
５．対比・判断
１）そこで、本件発明と引用発明１とを対比すると、引用発明１における「電動送風機やコード巻取装置」は、電気掃除機が一般的に備える内蔵機器類を例示したものであるから、本件発明における「集塵室、ブロアモータ等」に相当し、「移動用の前輪と後輪を掃除機本体に備えた電気掃除機」は、移動させながら床面上の塵埃等を吸引除去するものに他ならないから、「前車輪と一対の主車輪を備えた掃除機本体を移動させて床面上の塵埃等を吸引する電気掃除機」に相当する。また、引用発明１において「後輪の外周が本体下の後面及び底面より突出するように配設され、本体上の天面が前記後輪の外周の外側にあり」とする点は、本件発明において、主車輪を、「その外周の一部が前記掃除機本体の後端面及び底面の外側にあり、前記掃除機本体の天面が前記主車輪の外周の外側にあり」とすることに相当する。さらに、引用発明１における「本体下の後面上方に設けたレスト」は、本件発明の「掃除機本体の後端面の天面側に突設された突起部」に相当するから、引用発明１において、掃除機本体の重心位置を「立てた状態で、後輪と本体下の後面上方に設けたレストとの間に位置するように構成」した点は、本件発明において、該重心位置を「主車輪と掃除機本体の後端面の天面側に突設された突起部が床面に接触した状態で前記主車輪の車軸を通り床面に垂直な線の天面側にある、ように構成」したことに相当する。
　したがって、両者は、「集塵室、ブロアモータ等を内蔵し、前車輪と一対の主車輪を備えた掃除機本体を移動させて床面上の塵埃等を吸引する電気掃除機において、前記主車輪の外周の一部が前記掃除機本体の後端面及び底面の外側にあり、前記掃除機本体の天面が前記主車輪の外周の外側にあり、前記掃除機本体の重心が、前記主車輪と掃除機本体の後端面の天面側に突設された突起部が床面に接触した状態で前記主車輪の車軸を通り床面に垂直な線の天面側にある、ように構成された電気掃除機」である点で一致し、下記の点で相違する。
（ａ）本件発明では、主車輪の外径を、「掃除機本体の全長の５０％以上の大きさに設定」するとともに、前記掃除機本体の重心を、「前車輪と主車輪が床面に接触した状態で前記主車輪の外周内で前記主車輪の車軸の前方かつ上方である」ように配設しているのに対し、引用発明１では、主車輪が掃除機本体に対してかかる大きさに設定されず、かつ、掃除機本体の重心について、前車輪と主車輪が床面に接触した状態での配設位置が明示されていない点。
　
２）上記相違点（ａ）について検討する。主車輪と掃除機本体の後端面とが床面に接触するように立てた状態を安定的に保持しうる条件について考察するに、仮に、掃除機本体の重心が前車輪と主車輪が床面に接触した状態において主車輪の車軸の下方にあったとすれば、これを上記立てた状態へと移行したときには、重心位置が主車輪の車軸を通り床面に垂直な線の天面側に位置するとは限らず、掃除機本体の底面側へ倒れやすく不安定な状態となり易いことは明白であるから、引用発明において、立てた状態での安定保持を図るために、重心を、前車輪と主車輪が床面に接触した状態において掃除機本体の立ち上げ方向に予め寄せておくこと、すなわち、主車輪の車軸の上方に配することは、当業者ならば普通に配慮し得ることというべきである。また、掃除機本体を持ち上げる際の使用者の労力を低減するために上記重心及び車軸間の距離を短くすることは、本件訂正明細書の段落【０００４】等の記載をまつまでもなく当業者には広く認識されており、また、そのようにするためには、重心よりは車軸の位置を変更すれば良いことも当業者に明らかであるところ、掃除機本体に、大径の主車輪、例えば、該本体全長の５０％以上の大きさの主車輪を配することが引用発明２に開示されているのであるから、引用発明１における上記距離を低減するために、引用発明２のように主車輪を大径化し車軸位置を重心に近づけることは、当業者であれば容易に想到しうることというべきである。さらに、主車輪の外径を掃除機本体全長の５０％以上とすることの臨界的意義については、本件の明細書及び図面全体の記載を参酌しても見いだすことはできず、また、掃除機本体の重心が主車輪の外周内であるか否かが、掃除機本体の立設状態を安定的に保持するための条件とも認められないから、主車輪の外径を「掃除機本体の全長の５０％以上の大きさに設定」した点、重心を「主車輪の外周内」とした点は、当業者が適宜設計変更し得るものというべきである。
　
　なお付言すると、特許権者は、平成１４年８月１９日付けの意見書において、参考図１及び２を提示して引用発明１及び２の組み合わせからは本件発明は容易になし得ない旨主張しているが、参考図１のように、掃除機本体が前傾するような設計を為すことは、実用面を考慮すれば、当業者において通常はあり得ず、また、参考図２のように、通常使用状態で掃除機本体の重心を主車輪の軸心よりも下方に配置すると、掃除機本体を立てた状態で安定的に保持できないことは上記考察のとおりであるから、かかる配置とすることも当業者において通常行わないことというべきであるので、この主張は当を得ないものである。
　
［４］むすび
　以上のとおり、本件発明は、上記刊行物１及び刊行物２に記載された発明に基いて当業者が容易に発明をすることができたものであるから、特許法第２９条第２項の規定により特許を受けることができず、本件発明についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年１１月７日（２００２．１１．７）
【訂正の要旨】
審決（決定）の【理由】欄参照。
（５４）【発明の名称】
電気掃除機
（５７）【特許請求の範囲】
　【請求項１】　集塵室、ブロアモータ等を内蔵し、前車輪と一対の主車輪を備えた掃除機本体を移動させて床面上の塵埃等を吸引する電気掃除機に
おいて、
　
前記主車輪
あり、
あり、
　
前記掃除機本体の重心が、前記前車輪と主車輪が床面に接触した状態で前記主車輪の外周内で前記主車輪の車軸の前方かつ上方であり、かつ前記主車輪と掃除機本体の後端面の天面側に突設された突起部が床面に接触した状態で前記主車輪の車軸を通り床面に垂直な線の天面側にある、
　
ように構成されたことを
【発明の詳細な説明】
　【０００１】
　【産業上の利用分野】
　本発明は電気掃除機に係り、さらに詳しくは、集塵室、ブロアモータ等を内蔵した電気掃除機本体の改良に関するものである。
　【０００２】
　【従来の技術】
　図
１１
　【０００３】
　電気掃除機の使用にあたっては、コード（図示せず）を電源に差込み、ホース６のジョイント部７を掃除機本体１に接続する。そして、使用者は手元パイプ８を握って手元スイッチを操作し、床ブラシ１０を床面２５に沿って移動させ、床面上の塵埃などを吸引させて掃除を行なう。
　掃除が進むにつれて前車輪２及び主車輪３は床面２５上を回転し、掃除機本体１を移動させる。
　【０００４】
　しかしながら、棚の上、天井あるいはカーテンの上部等を掃除するような場合は、掃除機本体１をそのままの状態にしておいたのでは床ブラシ１０（又は他のアタッチメント）が届かないので、上ハンドル５を持って掃除機本体１を持上げて掃除を行なうか、あるいは図
１２
　このような操作は使用者の手や腕に相当な負担がかかるため、連続して上記のような立体掃除を行なうことは困難である。このような問題が発生するのは、掃除機本体１の重心Ｇと、主車輪３の車軸４間の距離Ｌｇが長いためである。
　【０００５】
　このような問題を解決するために、図
１３
１４
１６
１３
　【０００６】
　また、図
１４
　このような電気掃除機においては、主車輪３の外周が掃除機本体１の外端面より後方にあるため、掃除機本体１を立てて格納することができず、また、図
１５
　【０００７】
　図
１６
１２
うな状
１２
　【０００８】
　本発明は、上記の課題を解決するためになされたもので、使い勝手がよく、使用に際しては床面に傷をつけるおそれがなく、しかも不使用時はコンパクトに格納することのできる電気掃除機を得ることを目的としたものである。
　【０００９】
　【課題を解決するための手段】
　本発明に係る電気掃除機
は、主車輪
あり、
あり、掃除機本体の重心が、前車輪と主車輪が床面に接触した状態で主車輪の外周内で主車輪の車軸の前方かつ上方であり、かつ主車輪と掃除機本体の後端面の天面側に突設された突起部が床面に接触した状態で主車輪の車軸を通り床面に垂直な線の天面側にあるように構成されたことを
　【００１０】
　【００１１】
　【作用】
　本発明のように主車輪の外径を掃除機本体の全長の５０％以上の大きさにし、その外周の一部が掃除機本体の後端面及び底面の外側にあり、掃除機本体の天面が主車輪の外周の外側にあるように設定するとともに、掃除機本体の重心位置を主車輪の外周内でかつ掃除機本体を床面上に立てた状態下で主車輪の車軸を通り床面に垂直な線の天面側にあるように設定する
ことにより、重心と車軸
　【００１２】
　【００１３】
　【実施例】
　実施例１
　図１は本発明の第１の実施例の説明図である。図において、１はブロワモータ、集塵室などを内蔵した掃除機本体で、１１はその天面、１２は底面、１３は後端面である。２は底面１２の前部側に取付けられた前車輪、３は掃除機本体１の両側後部に設けた一対の主車輪で、４はその車軸、５は天面１１に設けた上ハンドルである。
　６はホースで、一端には掃除機本体１の前面に設けた差込部１４（図２）に連結するジョイント部７が設けられており、他端には手元スイッチを備えた手元パイプ（図示せず）が取付けられている。２５は床面、Ｇは掃除機本体１の重心である。
　【００１４】
　本実施例においては、図１に示すように、掃除機本体１の重心は、主車輪３の外周の内側に位置しており、また、主車輪３の外周の一部は、掃除機本体１の底面１２及び後端面１３より外側に位置している。このため、掃除機本体１の重心Ｇと主車輪３の車軸４間の距離Ｌｇを従来より短かくすることができる。
　【００１５】
　表１は本実施例に係る図２の掃除機本体１を差込部１４を、持上げて床面２５上に立てるときに要する力Ｆを実測したデータ、及び従来の掃除機本体を床面に立てるときに要する力Ｆを実測したデータを示すものである。なお、図２において、Ｌは掃除機本体１の全長、Ｌｇは車軸４と重心Ｇ間の距離、Ｌｄは車軸４と主車輪３の外周までの距離、したがって主車輪３の半径、Ｄは主車輪３の直径である。また、表１中のタイプＡは本実施例に係る電気掃除機、タイプＢは図
１１
１６
　【００１６】
　【表１】
　【００１７】
　表１から明らかなように、持ち上げ力
Ｆは、重心Ｇ
１６
　したがって、本実施例のように構成すれば、重心Ｇと車軸４との間の距離Ｌｇが短かくなるので、小さい持ち上げ力Ｆで掃除機本体１を立てることができ、途中で掃除機本体１の後端面が床面２５に接触することもなく、立てたのちは安定してその位置に保持される。
　【００１８】
　以上のように、
例えば棚の上
　また、敷居などの段差を乗り越える場合も、前車輪２が簡単に床面２５から離れるので、力を入れずに掃除機本体１を移動させることができる。
　さらに、直立した状態から通常の状態に戻す場合も、床面２５に対する衝撃が小さいので、床面２５に傷をつけることがない。
　【００１９】
　実施例２
　図３は本発明の第２の実施例の説明図である。なお、１５は掃除機本体１内に配設された集塵室である。本実施例においては、第１の実施例において、主車輪３の径Ｄを掃除機本体１の全長Ｌの５０％以上の大きさ、即ち、Ｄ＞Ｌ／２としたものである。
　【００２０】
　一般に掃除機本体の重心は、その全長Ｌの２分１よりやや後方にある。これは、掃除機本体１の前方部に集塵室１５が配設され、その後方にブロアモータなどが設けられているため
である。本実施例
　【００２１】
　実施例３
　図４は本発明の第３の実施例の説明図で、掃除機本体１を床面２５上に立てた状態を示す。なお、１６は掃除機本体１の底面に設けた下ハンドル、１７は後端面１３の天面１１側に主車輪３の外周と同一平面までの高さに突設された突起部である。
　本実施例においては、掃除機本体１を立てた状態で、主車輪３を車軸４を中心に右上から反時計回りで第１、第２、第３、第４象限とし、掃除機本体１を立てて主車輪３の外周と突起部１７が床面２５に当接して停止したときに、重心Ｇが第１象限、すなわち、車軸４を通る床面２５に垂直な線Ｐより天面１１側でかつ車軸４より前方に位置するように構成したものである。
　【００２２】
　上記のように構成した本実施例において、いま、掃除機本体１を仮床面２５ａ上に倒す（通常の状態に戻す）と、重心Ｇは第２象限に位置する。そして、下ハンドル１６を持って掃除機本体１を徐々に立てると、重心Ｇは第２象限から第１象限に移り、突起部１７が床面２５に当接して停止する。
　ここで、掃除機本体１を立てたとき、重心Ｇが第２象限上にあったとすれば、掃除機本体１は仮床面２５ａ側に倒れ易く、きわめて不安定な状態にある。また、重心Ｇが第３象限に位置したとすれば、突起部１７が床面２５に当接しない状態で停止するため、大へん不安定な状態になる。しかし、本実施例のように構成することにより掃除機本体１を安定して立てることができるので、掃除中は勿論格納の際にもきわめて安定性がよく、電気掃除機をコンパクトに収納することができる。
　【００２３】
　【００２４】
　【００２５】
　【００２６】
　【００２７】
　【００２８】
　実施例
４
　図
５
４
　このように構成した本実施例において、いま、下ハンドル１６を持上げると、前車輪２が床面２５から離れ、掃除機本体１は車軸４を中心として回転しながら立ち上り、最終的に
は床
　【００２９】
　ところで、掃除機本体１の重心Ｇが他の象限内に位置していた場合はどうであろうか。先ず、重心Ｇが第３象限に位置する場合は、上記のような動作において、重心Ｇが車軸４の真上に達したときは、掃除機本体１は直立を過ぎた状態になっているので、直立させるまで大きな力を必要とする。
　一方、重心Ｇが第１象限又は第４象限にある場合は、前車輪２は床面２５から離れた状態になっている。このため、掃除中前車輪２は床面２５上を常に弾みながら移動するので、騒音が発生したり床面２５に傷がついたりして好ましくなく、また、車軸４だけに荷重が加わるため、車軸４の磨耗が激しいなどの問題がある。
　【００３０】
　本実施例においては重心Ｇが第２象限にあるため上記のような問題が発生せず、また、重心Ｇは掃除機本体１の中心部近傍に位置するため、上ハンドル５を手に持って移動する場合においてもバランスがよく、運搬に便利である。
　【００３１】
　実施例
５
　図
６
５
　本実施例においては、モータ１９及びコードリール２０を、その重心ＧＭ及びＧＣがそれぞれ車軸４の前方かつ上方、即ち、第２象限に位置するように掃除機本体１内に配設したものである。
　【００３２】
　掃除機本体１の重量は、通常、約３〜６ｋｇであり、その中でモータ１９は約１．５ｋｇ、コードリール２０は約０．８〜１ｋｇであって、これら２部品で掃除機本体１が内蔵する部品の総重量の大部分を占めており、したがって、掃除機本体１の重心Ｇの位置を左右する。
　【００３３】
　従来の掃除機本体１の重心Ｇは、通常全高Ｈの約１／３の高さ位置にあった。ところで、第２の実施例（図３）のように、主車輪３の外径Ｄが掃除機本体１の全長Ｌの５０％以上の大きさの電気掃除機においては、必然的に車軸４の位置が高くなり、掃除機本体１の重心Ｇは車軸４より下方になってしまう。
　そこで、本実施例のように構成すれば、掃除機本体１の重心Ｇが高くなり、車軸４より上方に位置することになる。
　【００３４】
　実施例
６
　周知のように電気掃除機の使用にあたっては、掃除機本体をホースで引張りながら前後に移動させ、あるいは左右に旋回させて掃除を行なっている。この場合、前後の移動は主として主車輪に依存し、旋回は主として前車輪に依存しており、旋回にあたっては、小さい力でかつ小さい回転半径で操作しうることが望ましい。
　【００３５】
　図
７
６
　【００３６】
　本発明の発明者等は、本発明に係る掃除機本体１の旋回機能について種々試験を行ない、回転半径、回転力及び転倒について多くのデータを得た。ここに、回転半径とは、図
８
　【００３７】
　図
９
１０
７
　上記のようなＸ、Ｙ、Ｚの各例についてそれぞれ５回ずつ試験を行なった結果を表２に示す。
　【００３８】
　【表２】
　【００３９】
　表２から明らかなように、ケースＹの例では回転力Ｔは小さく、また旋回に際して転倒することもないが、前車輪２が車軸４から離れた位置にあるため回転半径Ｗｂが大きくなる。また、ケースＺの例では回転半径Ｗｂは小さいが、前車輪２は重心Ｇのほぼ直下にあるので、掃除機本体１の全重量が前車輪２に加わるため大きな回転力Ｔを必要とし、また、転倒も多くなる。
　これに対してケースＸ、即ち本実施例においては、回転半径ＷｂはケースＹとＺのほぼ中間にあり、回転力ＴはケースＺの２分の１でケースＹと等しく、転倒回数は０であった。
　【００４０】
　このようなことから、車軸４と前車輪２間の距離Ｌｗを、車軸４と重心Ｇまでの距離Ｌｇのほぼ２倍、したがって、２Ｌｇ≧Ｌｗとすることにより、小さい回転力Ｔにより小さい回転半径Ｗｂで、転倒することなく掃除機本体１を旋回しうることが明らかになった。
　【００４１】
　【発明の効果】
　以上の説明から明らかなように、本発明に
よれば、主車輪
設定され、その
あり、
あり、掃除機本体の重心が、前車輪と主車輪が床面に接触した状態で主車輪の外周内で主車輪の車軸の前方かつ上方であり、かつ主車輪と掃除機本体の後端面の天面側に突設された突起部が床面に接触した状態で主車輪の車軸を通り床面に垂直な線の天面側にあるように構成されたことで、重心と
　【００４２】
【図面の簡単な説明】
　【図１】
　本発明の第１の実施例の説明図である。
　【図２】
　第１の実施例の作用説明図である。
　【図３】
　本発明の第２の実施例の説明図である。
　【図４】
　本発明の第３の実施例の説明図である。
　【図
５
　本発明の第
４
　【図
６
　本発明の第
５
　【図
７
　本発明の第
６
　【図
８
　図
７
　【図
９
　第
６
　【図
１０
　第
６
　【図
１１
　従来の電気掃除機の一例の説明図である。
　【図
１２
　図
１１
　【図
１３
　従来の電気掃除機の他の例の説明図である。
　【図
１４
　従来の電気掃除機の他の例の説明図である。
　【図
１５
　図
１４
　【図
１６
　従来の電気掃除機の他の例の説明図である。
　【符号の説明】
　１　掃除機本体
　２　前車輪
　３　主車輪
　４　車軸
　１１　天面
　１２　底面
　１３　後端面
　１５　集塵室
　
１７　突起部
　１９　ブロアモータ
　２５　床面
【図面】